【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
架橋アルコキシシリルポリノルボルネンホモポリマーを作製する方法であって、
触媒の存在下で少なくとも１つのアルコキシシリル部分を含むノルボルネンモノマーを重合して、アルコキシシリル修飾ポリノルボルネンホモポリマーを生成するステップと、 
周囲条件、酸−触媒条件、または塩基−触媒条件で、ゾルゲルで開始される前記アルコキシシリル修飾ポリノルボルネンホモポリマーの架橋を介して、架橋アルコキシシリルポリノルボルネンホモポリマーを生成するステップと、
を含む、方法。
【請求項２】
前記重合ステップが、遷移金属触媒を利用する付加重合プロセスを含む、請求項１に記載の方法。
【請求項３】
前記遷移金属触媒が、パラジウムメタロセン誘導体の触媒、およびトリチルボレート、ホスフィン、またはそれらの組み合わせの少なくとも１つを含む、請求項２に記載の方法。 
【請求項４】
前記重合ステップが、第１世代グラブス触媒、または任意の後世代のグラブス触媒を利用する開環メタセシス重合（ＲＯＭＰ）プロセスを含む、請求項１に記載の方法。 
【請求項５】
前記アルコキシシリル部分が、１個〜１８個のアルコキシ基を含む、請求項１に記載の方法。
【請求項６】
前記架橋アルコキシシリルポリノルボルネンホモポリマーが、以下の構造のうちのいずれかを有し、
【化１】
2019512565.tif 000001
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンである、請求項１に記載の方法。
【請求項７】
Ｒ１、Ｒ２、及びＲ３のうちの少なくとも２つが、アルコキシまたはアルコキシシロキサンであり、少なくとも２つのアルコキシが同じまたは異なる部分である、請求項７に記載の方法。 
【請求項８】
前記ノルボルネンモノマーが、メチルジエトキシシリルノルボルネン、ジメチルエトキシシリルノルボルネン、またはトリエトキシシリルノルボルネンを含む、請求項１に記載の方法。
【請求項９】
前記ゾルゲルで開始される架橋が、水中加水分解、または大気への曝露を伴う、請求項１に記載の方法。
【請求項１０】
前記ゾルゲルで開始される架橋が、酸または塩基の触媒作用による、請求項９に記載の方法。
【請求項１１】
前記架橋の程度が、ゲル含有量によって測定され、約１０％〜約１００％のゲル含有量を有する、請求項１に記載の方法。
【請求項１２】
以下の構造のうちのいずれかを有する、架橋アルコキシシリルポリノルボルネンホモポリマーを含む配合物であって、
【化２】
2019512565.tif 000002
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンであり、
前記架橋が、１０重量％〜１００重量％のゲル含有量を特徴とする、配合物。
【請求項１３】
前記架橋アルコキシシリルポリノルボルネンホモポリマーが、少なくとも第１の鎖パッキング領域、第２の鎖パッキング領域、第３のパッキング領域、および第４のパッキング領域を含み、前記第１の鎖パッキング領域が第１の鎖間距離によって画定され、前記第２の鎖パッキング領域が第２の鎖間距離によって画定され、前記第３のパッキング領域が第３の鎖間距離によって画定され、前記第４のパッキング領域が第４の鎖間距離によって画定され、前記第１の鎖間距離が前記第２の鎖間距離よりも短く、前記第３の鎖間距離が前記第１の鎖間距離及び第２の鎖間距離よりも長く、前記第４の鎖間距離が前記第１、第２、及び第３の鎖間距離よりも短く、前記第１の鎖間距離、前記第２の鎖間距離、前記第３の鎖間距離、および前記第４の鎖間距離が、広角Ｘ線回折測定（ＷＡＸＲＤ）によって測定された角度ピークに関するブラッグの法則から計算される、請求項１２に記載の配合物。
【請求項１４】
前記架橋アルコキシシリルポリノルボルネンホモポリマーが１〜３の分子量分布（ＭＷＤ）を含み、ＭＷＤがＭｗ／Ｍｎとして定義され、Ｍｗが重量平均分子量であり、Ｍｎが数平均分子量である、請求項１２に記載の配合物。
【請求項１５】
請求項１２に記載の配合物を含む、天然ガス分離膜。
【手続補正２】
【補正対象書類名】明細書
【補正対象項目名】００５６
【補正方法】変更
【補正の内容】
【００５６】
特許請求された主題の趣旨及び範囲から逸脱することなく、記載された実施形態に種々の変更及び変形がなされ得ることは、当業者には明らかであるはずである。したがって、本明細書は、添付の特許請求の範囲及びそれらの均等物の範囲内に入るそのような変更及び変形が提供される種々の記載された実施形態の変更及び変形を網羅することを意図する。
以下、本発明の好ましい実施形態を項分け記載する。
実施形態１
架橋アルコキシシリルポリノルボルネンホモポリマーを作製する方法であって、
触媒の存在下で少なくとも１つのアルコキシシリル部分を含むノルボルネンモノマーを重合して、アルコキシシリル修飾ポリノルボルネンホモポリマーを生成するステップと、 
周囲条件、酸−触媒条件、または塩基−触媒条件で、ゾルゲルで開始される前記アルコキシシリル修飾ポリノルボルネンホモポリマーの架橋を介して、架橋アルコキシシリルポリノルボルネンホモポリマーを生成するステップと、
を含む、方法。
実施形態２
前記重合ステップが、遷移金属触媒を利用する付加重合プロセスを含む、実施形態１に記載の方法。
実施形態３
前記遷移金属触媒が、パラジウムメタロセン誘導体の触媒を含む、実施形態２に記載の方法。
実施形態４
トリチルボレート、ホスフィン、またはそれらの組み合わせを更に含む、実施形態３に記載の方法。
実施形態５
前記重合ステップが、第１世代グラブス触媒、または任意の後世代のグラブス触媒を利用する開環メタセシス重合（ＲＯＭＰ）プロセスを含む、実施形態１に記載の方法。
実施形態６
前記アルコキシシリル部分が、１個〜１８個のアルコキシ基を含む、実施形態１に記載の方法。
実施形態７
前記架橋アルコキシシリルポリノルボルネンホモポリマーが、以下の構造のうちのいずれかを有し、
【化９】
2019512565.tif 000003
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンである、実施形態１に記載の方法。
実施形態８
Ｒ１、Ｒ２、及びＲ３のうちの少なくとも２つが、アルコキシまたはアルコキシシロキサンであり、少なくとも２つのアルコキシが同じまたは異なる部分である、実施形態７に記載の方法。
実施形態９
前記ノルボルネンモノマーが、メチルジエトキシシリルノルボルネン、ジメチルエトキシシリルノルボルネン、またはトリエトキシシリルノルボルネンを含む、実施形態１に記載の方法。
実施形態１０
前記ゾルゲルで開始される架橋が、水中加水分解、または大気への曝露を伴う、実施形態１に記載の方法。
実施形態１１
前記ゾルゲルで開始される架橋が、酸または塩基の触媒作用による、実施形態１０に記載の方法。
実施形態１２
前記架橋の程度が、ゲル含有量によって測定され、約１０％〜約１００％のゲル含有量を有する、実施形態１に記載の方法。
実施形態１３
以下の構造のうちのいずれかを有する、架橋アルコキシシリルポリノルボルネンホモポリマーを含む配合物であって、
【化１０】
2019512565.tif 000004
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンであり、
前記架橋が、１０重量％〜１００重量％のゲル含有量を特徴とする、配合物。
実施形態１４
前記架橋アルコキシシリルポリノルボルネンホモポリマーが、少なくとも第１の鎖パッキング領域及び第２の鎖パッキング領域を含み、前記第１の鎖パッキング領域が第１の鎖間距離によって画定され、前記第２の鎖パッキング領域が第２の鎖間距離によって画定され、前記第１の鎖間距離が前記第２の鎖間距離よりも短く、前記第１の鎖間距離及び第２の鎖間距離が、広角Ｘ線回折測定（ＷＡＸＲＤ）によって測定された角度ピークに関するブラッグの法則から計算される、実施形態１３に記載の配合物。
実施形態１５
第３の鎖間距離によって画定される第３のパッキング領域を更に含み、前記第３の鎖間距離が前記第１の鎖間距離及び第２の鎖間距離よりも長く、前記第３の鎖間距離がＷＡＸＲＤによって測定された角度ピークに関するブラッグの法則から計算される、実施形態１４に記載の配合物。
実施形態１６
第４の鎖間距離によって画定される第４のパッキング領域を更に含み、前記第４の鎖間距離が前記第１、第２、及び第３の鎖間距離よりも短く、前記第４の鎖間距離がＷＡＸＲＤによって測定された角度ピークに関するブラッグの法則から計算される、実施形態１５に記載の配合物。
実施形態１７
前記架橋アルコキシシリルポリノルボルネンホモポリマーが１〜３の分子量分布（ＭＷＤ）を含み、ＭＷＤがＭｗ／Ｍｎとして定義され、Ｍｗが重量平均分子量であり、Ｍｎが数平均分子量である、実施形態１３に記載の配合物。
実施形態１８
実施形態１３に記載の配合物を含む、天然ガス分離膜。